(57)【特許請求の範囲】
【請求項１】
左右方向に並設された複数の鍵と、前記鍵の前端部が上下方向に回動可能となるように前記鍵の後端部を支持するフレームと、前記鍵の回動に連動して上下方向に回動するように前記フレームに支持された質量体と、前記鍵又は前記質量体と当接して前記鍵及び前記質量体の回動範囲を規制するストッパと、を備えた鍵盤装置において、
前記質量体が、一部に設けられた空洞部と、前記空洞部内で移動可能となるように前記空洞部に充填された複数の微粒子と、前記空洞部を２つ以上に隔てる隔壁と、前記隔壁の下部に設けられた供給孔と、を有する
ことを特徴とする鍵盤装置。
【請求項２】
前記２つ以上に隔てられた一方の空間から他方の空間に向かうに従って下側に近づくテーパ又は前記一方の空間の下部が前記他方の空間の下部よりも高くなるような段差が前記空洞部の下部に設けられている
ことを特徴とする請求項１に記載の鍵盤装置。
【請求項３】
前記一方の空間が前記他方の空間よりも前記質量体の回動支点から近い側に設けられたことを特徴とする請求項２に記載の鍵盤装置。
【請求項４】
連通孔が前記隔壁の上部に設けられ、
前記他方の空間から前記一方の空間に向かうに従って上側に近づくテーパが前記空洞部の上側に設けられている
ことを特徴とする請求項２に記載の鍵盤装置。
【発明の詳細な説明】
【技術分野】
【０００１】
本発明は、電子鍵盤楽器等に使用される鍵盤装置に係り、特に、鍵のタッチ感を改良するための鍵および質量体（ハンマ）の構造に関するものである。
【背景技術】
【０００２】
従来から、電子鍵盤楽器の鍵盤装置にアコースティックピアノのような自然な押鍵感触（質量感）を擬似的に得るために、例えば特許文献１に示すような鍵盤装置が提案されている。この種の鍵盤装置では、例えば、鍵の回動に連動して上下方向に回動する質量体が鍵に設けられている。
【０００３】
上述した質量体の回動範囲（初期位置から押し切り位置まで）は、２つのストッパにより規制されている。上記鍵盤装置は、質量体が２つのストッパの一方に当接したときに鍵は押鍵押し切り位置となり、２つのストッパの他方に当接したときに鍵は初期位置となる。
【０００４】
演奏者の押鍵により押し切り状態になると、前述のように質量体はストッパに衝突する。ストッパはフェルトなどのある程度柔軟性と弾性の高い材料を備えているため、質量体とストッパとが衝突するとストッパが弾性変形し、ストッパの内部損失により質量体の運動エネルギーが吸収される。これにより、質量体とストッパとの衝突時の衝撃を緩衝し、制動に寄与する。
【０００５】
しかしながら、ストッパは、弾性変形から元に戻るときに弾性復元力を発生する。この弾性復元力が質量体を介して鍵に対する反発力（リバウンド）となって演奏者の指に伝わり、演奏者に不快感を与える（鍵がピタっと止まらないでブルブルする）、という問題があった。
【０００６】
上記問題を解決するために、質量体に空洞部を設けて、その空洞部に微粒子を充填する鍵盤装置が提案されている（例えば特許文献２）。この鍵盤装置によれば、ストッパと質量体との衝突エネルギーを微粒子が吸収するため、押し切り時に演奏者に伝わる反発力を減少することができるという利点があった。
【０００７】
しかしながら、特許文献２に記載された鍵盤装置は、何回か押鍵操作を行うと初期位置において空洞部内での微粒子の分布に偏りが生じるため、これに起因して押し切り位置となり質量体とストッパとが当接する毎に演奏者に伝わるストップ感が異なる、という問題があった。
【特許文献１】特開平９−１９８０３７号公報
【特許文献２】特開平８−１６１５３号公報
【発明の開示】
【発明が解決しようとする課題】
【０００８】
そこで、本発明は、上記のような問題点に着目し、鍵の初期位置における空洞部内での微粒子の分布を毎回同じにすることにより、良好なストップ感を安定して得ることができる鍵盤装置を提供することを課題とする。
【課題を解決するための手段】
【０００９】
上記課題を解決するためになされた請求項１記載の発明は、左右方向に並設された複数の鍵と、前記鍵の前端部が上下方向に回動可能となるように前記鍵の後端部を支持するフレームと、前記鍵の回動に連動して上下方向に回動するように前記フレームに支持された質量体と、前記鍵又は前記質量体と当接して前記鍵及び前記質量体の回動範囲を規制するストッパと、を備えた鍵盤装置において、前記質量体が、一部に設けられた空洞部と、前記空洞部内で移動可能となるように前記空洞部に充填された複数の微粒子と、前記空洞部を２つ以上に隔てる隔壁と、前記隔壁の下部に設けられた供給孔と、を有することを特徴とする鍵盤装置に存する。
【００１０】
請求項２記載の発明は、前記２つ以上に隔てられた一方の空間から他方の空間に向かうに従って下側に近づくテーパ又は前記一方の空間の下部が前記他方の空間の下部よりも高くなるような段差が前記空洞部の下部に設けられていることを特徴とする請求項１に記載の鍵盤装置に存する。なお、少なくとも鍵が初期位置にあるときに、テーパが一方の空間から他方の空間に向かうに従って下側に近づくように設けられ、段差が一方の空間の下部が前記他方の空間の下部よりも高くなるように設けられていればよい。
【００１１】
請求項３記載の発明は、前記一方の空間が前記他方の空間よりも前記質量体の回動支点から近い側に設けられたことを特徴とする請求項２に記載の鍵盤装置に存する。
【００１２】
請求項４記載の発明は、連通孔が前記隔壁の上部に設けられ、前記他方の空間から前記一方の空間に向かうに従って上側に近づくテーパが前記空洞部の上側に設けられていることを特徴とする請求項２に記載の鍵盤装置に存する。
【発明の効果】
【００１３】
以上説明したように請求項１記載の発明によれば、鍵の初期位置において、自重によって隔壁によって隔てられた前後方向の一方の空間に溜められた微粒子に生じる圧力と、自重によって他方の空間に溜められた微粒子に生じる圧力とが釣り合うまで、供給孔を通じて一方の空間から他方の空間または他方の空間から一方の空間に向かう微粒子の流れを作ることができる。これにより、鍵の初期位置における空洞部内での微粒子の分布を毎回同じにすることができ、良好なストップ感を安定して得ることができる。
【００１４】
請求項２記載の発明によれば、空洞部の底面にテーパ又は段差を設けることにより、安定して一方の空間から他方の空間に向かう微粒子の流れを作ることができる。このため、より確実に鍵の初期位置における空洞部内での微粒子の分布を毎回同じにすることができ、良好なストップ感を安定して得ることができる。
【００１５】
請求項３記載の発明によれば、一方の空間に溜められた微粒子の分布は、他方の空間に溜められた微粒子の分布よりもばらつきが大きくなる。このため、微粒子分布のばらつきが大きい一方の空間を回動支点から近い側に設けて、この一方の空間内の微粒子による慣性モーメント影響を受けにくくすることにより、より確実に、良好なストップ感を安定して得ることができる。
【００１６】
請求項４記載の発明によれば、押し切り時に他方の空間にある微粒子が誘導壁により連通孔を通じて一方の空間に誘導されるため、押し切り後、鍵の初期位置において再び供給孔を通じて一方の空間から他方の空間に向かう微粒子の流れを作ることがきる。このため、より確実に鍵の初期位置における空洞部内での微粒子の分布を毎回同じにすることができ、良好なストップ感を安定して得ることができる。
【発明を実施するための最良の形態】
【００１７】
第１実施形態
以下、図面を参照して本発明の第１実施形態について説明する。図１は、第１実施形態における鍵盤装置１００を示す概略断面図である。図２は、図１に示す錘部３２の拡大図である。以下説明において、鍵盤装置１００の「上下左右前後」は演奏時の演奏者側から見た正立状態における「上下左右前後」を意味する。
【００１８】
鍵盤装置１００は、例えば電子鍵盤楽器に用いられるものである。同図に示すように、鍵盤装置１００は、鍵としての複数の黒鍵１０及び白鍵１１と、フレーム２０と、質量体３０と、ストッパとしての上限ストッパ４１及び下限ストッパ４２と、を備えている。
【００１９】
上記黒鍵１０及び白鍵１１は、左右方向に複数並設されている。フレーム２０は、上板部２１と、上板部２１の前後方向両端から垂下された前側立壁部２２及び後側立壁部２３と、前側立壁部２２下端の前側に設けられた前側底板部２４と、前側底板部２４の前側に立設された立壁部２５と、後側立壁部２３の後側に設けられた後側底板部２６と、を有している。
【００２０】
上述した上板部２１の前側の上面には、黒鍵１０の押鍵時に黒鍵１０の前端部を上下方向に案内する鍵ガイド部２７が立設されている。また、上述した立壁部２５の上端部には、白鍵１１の押鍵時に白鍵１１の前端部を上下方向に案内する鍵ガイド部２８が立設されている。
【００２１】
上述した上板部２１の後側の上面には、黒鍵１０及び白鍵１１が上下方向に回動可能となるように黒鍵１０及び白鍵１１の後端部を支持する鍵支持部２１Ａが設けられている。黒鍵１０及び白鍵１１は、回転軸Ｃ１を支点として鍵支持部２１Ａに軸支されていて、回転軸Ｃ１を中心として回動する。
【００２２】
上記質量体３０は、上板部２１の下側に設けられた前後方向に伸びるアーム部３１と、アーム部３１の後側に設けられた錘部３２と、アーム部３１の前側に設けられた作動部３３とで構成されている。上記アーム部３１は、質量体支持部２１Ｂにより作動部３３の回転軸Ｃ２を支点として軸支されている。質量体支持部２１Ｂは、上記鍵支持部２１Ａよりも前側の上板部２１下面に設けられている。
【００２３】
上記アーム部３１は、その後端が後側立壁部２３よりも後側に突出して設けられている。これにより、錘部３２は後側立壁部２３よりも後側に設けられる。また、作動部３３の前端には上下に二股に分かれた連結片３３Ａが形成されており、黒鍵１０及び白鍵１１から下側に向かって突出する作用部１２の下端部に設けられた連結板１２Ｂが連結片３３Ａに連結されている。
【００２４】
上述した上限ストッパ４１、下限ストッパ４２は、質量体３０と当接して黒鍵１０及び白鍵１１の回動範囲を規制するストッパである。上記上限ストッパ４１は、上板部２１の後端部に設けられている。そして、演奏者が黒鍵１０及び白鍵１１を押鍵すると作用部１２が作動部３３を押し下げ、質量体３０が回転軸Ｃ２を回動中心として図１において反時計回りに回動して、質量体３０と上限ストッパ４１とが当接すると押し切り状態となる。一方、下限ストッパ４２は、後側底板部２６上に設けられている。そして、演奏者が押鍵操作を止めると、質量体３０が回転軸Ｃ２を回動中心として図１において時計回りに回動して、質量体３０と下限ストッパ４２とが当接すると初期位置となる。
【００２５】
次に、上述した錘部３２の構成について図２を参照して説明する。錘部３２は、空洞部３２Ａと、微粒子３２Ｂ（図３）と、隔壁３２Ｃと、供給孔３２Ｄと、連通孔３２Ｅと、を有している。上記空洞部３２Ａは、閉空間として設けられている。上記微粒子３２Ｂは、空洞部３２Ａ内を移動可能となるように空洞部３２Ａに充填されている。即ち、微粒子３２Ｂは、空洞部３２Ａ内に空き空間が設けられるように充填されている。この微粒子３２Ｂは、砂や金属粉、その他セラミック、金属、プラスチックなどから構成されている。大きさは、直径、外形３ｍｍ以下が望ましい。なお、図３では、微粒子３２Ｂは球体だが、微粒子３２Ｂは球体に限らない。
【００２６】
上記隔壁３２Ｃは、空洞部３２Ａを前後方向に隔てる壁であり、前後方向に略垂直に設けられている。第１実施形態では、隔壁３２Ｃによって前後方向に隔てられた前側の空間を第１微粒子蓄積領域３２Ａ−１とし、後側の空間を第２微粒子蓄積領域３２Ａ−２とする。上記供給孔３２Ｄは、隔壁３２Ｃの下端部に設けられている。連通孔３２Ｅは、隔壁３２Ｃの上端部に設けられている。この供給孔３２Ｄ、連通孔３２Ｅによって、第１微粒子蓄積領域３２Ａ−１と第２微粒子蓄積領域３２Ａ−２とが連通している。
【００２７】
上述した空洞部３２Ａの底面には、一方の空間としての第２微粒子蓄積領域３２Ａ−２の底面が他方の空間としての第１微粒子蓄積領域３２Ａ−１の底面よりも高くなるような段差３２Ａ−３が設けられている。そして、この段差３２Ａ−３には、第２微粒子蓄積領域３２Ａ−２から第１微粒子蓄積領域３２Ａ−１に向かうに従って下側に近づくテーパ３２Ａ−４が設けられている。
【００２８】
上述した空洞部３２Ａの上面には、第１微粒子蓄積領域３２Ａ−１の上方に第１微粒子蓄積領域３２Ａ−１から第２微粒子蓄積領域３２Ａ−２に向かうに従って上側に近づくテーパ状の第１誘導壁３２Ａ−５が設けられている。また、上述した空洞部３２Ａの上面には、第２微粒子蓄積領域３２Ａ−２の上方に第１微粒子蓄積領域３２Ａ−１から第２微粒子蓄積領域３２Ａ−２に向かうに従って下側に近づくテーパ状の第２誘導壁３２Ａ−６が設けられている。
【００２９】
さらに、上述した空洞部３２Ａの後側の側面には、隔壁３２Ｃに向かって突出する突起３２Ａ−７が設けられている。そして、上述した隔壁３２Ｃには、突起３２Ａ−７が設けられた空洞部３２Ａの側面に向かって突出する突起３２Ｃ−１が設けられている。上記突起３２Ａ−７及び突起３２Ｃ−１は、上下方向に沿って互い違いに設けられている。
【００３０】
上述した構成の鍵盤装置１００において空洞部３２Ａに充填された微粒子３２Ｂの動きについて図３を参照して以下説明する。黒鍵１０及び白鍵１１の押鍵操作が行われていない初期状態では、同図（Ａ）に示すように、微粒子３２Ｂは、重力によって空洞部３２Ａの下方に集まっている。このとき、自重によって第１微粒子蓄積領域３２Ａ−１に溜められた微粒子３２Ｂに生じる圧力と、第２微粒子蓄積領域３２Ａ−２に溜められた微粒子３２Ｂに生じる圧力とは釣り合っているため、供給孔３２Ｄを通じての微粒子３２Ｂの流れは発生していない。その後、黒鍵１０及び白鍵１１の押鍵操作が行われると、黒鍵１０及び白鍵１１の回動に連動して錘部３２が上方に回動し、質量体３０が上限ストッパ４１に当接して押し切り状態となる。
【００３１】
質量体３０と上限ストッパ４１との当接によって微粒子３２Ｂに慣性モーメントが働き、同図（Ｂ）に示すように、微粒子３２Ｂが空洞部３２Ａの上方に移動する。これにより、質量体３０と上限ストッパ４１との衝突エネルギーを微粒子３２Ｂが吸収するため、反発力が減少する。
【００３２】
このとき、第１微粒子蓄積領域３２Ａ−１に蓄積された微粒子３２Ｂは、空洞部３２Ａの上方に移動した後、第１誘導壁３２Ａ−５に当たる。その後、第１誘導壁３２Ａ−５、第２誘導壁３２Ａ−６の順に沿って移動した結果、連通孔３２Ｅを通じて第２微粒子蓄積領域３２Ａ−２に供給される。
【００３３】
結果、押鍵操作が終了して質量体３０が下限ストッパ４２に当接する初期位置となったとき、同図（Ｃ）に示すように、同図（Ａ）に示す場合に比べて、第２微粒子蓄積領域３２Ａ−２に蓄積される微粒子３２Ｂの量が増える。よって、供給孔３２Ｄを通じて第２微粒子蓄積領域３２Ａ−２から第１微粒子蓄積領域３２Ａ−１に微粒子３２Ｂが流れる。
【００３４】
その後、第１微粒子蓄積領域３２Ａ−１に溜められた微粒子３２Ｂに生じる圧力と、第２微粒子蓄積領域３２Ａ−２に溜められた微粒子３２Ｂに生じる圧力とが釣り合って、同図（Ａ）に示す状態に戻ると、供給孔３２Ｄを通じての微粒子３２Ｂの流れは止まる。これにより、黒鍵１０及び白鍵１１における空洞部３２Ａ内での微粒子３２Ｂの分布を毎回同じにすることができ、良好なストップ感を安定して得ることができる。
【００３５】
また、上述した鍵盤装置１００によれば、段差３２Ａ−３及びテーパ３２Ａ−４が空洞部３２Ａの底面に設けられている。このように、空洞部３２Ａの底面に段差３２Ａ−３及びテーパ３２Ａ−４を設けることにより、安定して第２微粒子蓄積領域３２Ａ−２から第１微粒子蓄積領域３２Ａ−１に向かう微粒子３２Ｂの流れを作ることができる。このため、より確実に黒鍵１０及び白鍵１１の初期位置における空洞部３２Ａ内での微粒子３２Ｂの分布を毎回同じにすることができ、良好なストップ感を安定して得ることができる。
【００３６】
また、上述した鍵盤装置１００によれば、第２微粒子蓄積領域３２Ａ−１に上下方向に互い違いに設けた突起３２Ａ−７、３２Ｃ−１を設けている。これにより、第２微粒子蓄積領域３２Ａ−２での微粒子３２Ｂの流れを整流して、第２微粒子蓄積領域３２Ａ−２での微粒子３２Ｂの分布にばらつきが生じるのを防ぐことができる。
【００３７】
第２実施形態
次に、第２実施形態について説明する。図４は、第２実施形態における鍵盤装置１００を示す概略断面図である。図５は、図４に示す錘部３２の拡大図である。図４及び図５において、図１及び図２について上述した第１実施形態で既に説明した部分と同等の部分は同一符号を付してその詳細な説明を省略する。
【００３８】
第１実施形態と異なる点は、錘部３２の構成である。図４及び図５に示すように、錘部３２は、第１実施形態と同様に、空洞部３２Ａと、微粒子３２Ｂと、隔壁３２Ｃと、供給孔３２Ｄと、連通孔３２Ｅと、を有している。空洞部３２Ａ、微粒子３２Ｂ、供給孔３２Ｄ及び連通孔３２Ｅは、第１実施形態と同様のため詳細な説明は省略する。隔壁３２Ｃは、第１実施形態と同様に、空洞部３２Ａを前後方向に隔てる壁であり、前後方向に略垂直に設けられている。第２実施形態では、第１実施形態と同様に、隔壁３２Ｃによって前後方向に隔てられた前側の空間を第１微粒子蓄積領域３２Ａ−１とし、後側の空間を第２微粒子蓄積領域３２Ａ−２とする。
【００３９】
上述した空洞部３２Ａの底面には、一方の空間としての第２微粒子蓄積領域３２Ａ−２の底面が他方の空間としての第１微粒子蓄積領域３２Ａ−１の底部よりも高くなるような段差３２Ａ−３が設けられている。この段差３２Ａ−３は、第２微粒子蓄積領域３２Ａ−２から第１微粒子蓄積領域３２Ａ−１に向かうに従って下側に近づくテーパ３２Ａ−４が設けられている。また、空洞部３２Ａの上面には、第１実施形態と同様に、第１誘導壁３２Ａ−５及び第２誘導壁３２Ａ−６が設けられている。また、上述した第２微粒子蓄積領域３２Ａ−２内には、微粒子３２Ｂの上下方向の流れを整流するための整流壁３２Ｆが設けられている。整流壁３２Ｆは、隔壁３２Ｃと略平行になるように設けられている。また、整流壁３２Ｆは、その高さが隔壁３２Ｃの高さよりも低くなるように設けられている。上述した構成の鍵盤装置１００において空洞部３２Ａに充填された微粒子３２Ｂの動きは第１実施形態とほぼ同様であるため、ここでは詳細な説明を省略する。
【００４０】
上述した鍵盤装置１００によれば、第１実施形態と同様に、空洞部３２Ａを隔壁３２Ｃによって前後方向に隔てると共に隔壁３２Ｃの下端に供給孔３２Ｄを設けることにより、黒鍵１０及び白鍵１１における空洞部３２Ａ内での微粒子３２Ｂの分布を毎回同じにすることができ、良好なストップ感を安定して得ることができる。また、空洞部３２Ａの底面に段差３２Ａ−３及びテーパ３２Ａ−４を設けると共に、上側に第１誘導壁３２Ａ−５、第２誘導壁３２Ａ−６を設けることにより、より確実に空洞部３２Ａ内での微粒子３２Ｂの分布を毎回同じにすることができ、良好なストップ感を安定して得ることができる。
【００４１】
また、上述した鍵盤装置１００によれば、第２微粒子蓄積領域３２Ａ−２内に、複数の整流壁３２Ｆを、隔壁３２Ｃと略平行なるように、並べて配置している。これにより、第２微粒子蓄積領域３２Ａ−２内での微粒子３２Ｂの流れを整流して、第２微粒子蓄積領域３２Ａ−２での微粒子３２Ｂの分布にばらつきが生じるのを防ぐことができる。
【００４２】
第３実施形態
次に、第３実施形態について説明する。図６は、第３実施形態における鍵盤装置１００を示す概略断面図である。図７は、図６に示す錘部３２の拡大図である。図６及び図７において、図１及び図２について上述した第１実施形態で既に説明した部分と同等の部分は同一符号を付してその詳細な説明を省略する。
【００４３】
第１実施形態と異なる点は、錘部３２の構成である。図６及び図７に示すように、錘部３２は、第１実施形態と同様に、空洞部３２Ａと、微粒子３２Ｂと、隔壁３２Ｃと、供給孔３２Ｄと、連通孔３２Ｅと、を有している。空洞部３２Ａ、微粒子３２Ｂ、供給孔３２Ｄ及び連通孔３２Ｅは、第１実施形態と同様のため詳細な説明を省略する。隔壁３２Ｃは、空洞部３２Ａを前後方向に隔てる壁であり、第３実施形態では上側が後側に傾いて設けられている。第３実施形態では、隔壁３２Ｃによって前後方向に隔てられた前側の空間を第２微粒子蓄積領域３２Ａ−２とし、後側の空間を第１微粒子蓄積領域３２Ａ−１とする。
【００４４】
上述した空洞部３２Ａの底面には、一方の空間としての第２微粒子蓄積領域３２Ａ−２の底面が他方の空間としての第１微粒子蓄積領域３２Ａ−１の底部よりも高くなるような段差３２Ａ−３が設けられている。さらにその段差３２Ａ−３には、第２微粒子蓄積領域３２Ａ−２から第１微粒子蓄積領域３２Ａ−１に向かうに従って下側に近づくテーパ３２Ａ−４が設けられている。さらに、段差３２Ａ−３よりも前側の底面も第２微粒子蓄積領域３２Ａ−２から第１微粒子蓄積領域３２Ａ−１に向かうに従って下側に近づくテーパ３２Ａ−８が設けられている。また、空洞部３２Ａの上面には、第１実施形態と同様に、第１誘導壁３２Ａ−５が設けられている。
【００４５】
また、上述した第２微粒子蓄積領域３２Ａ−２内には、微粒子３２Ｂの上下方向の流れを整流するための複数、例えば２つの整流壁３２Ｆが設けられている。複数の整流壁３２Ｆは、隔壁３２Ｃと略平行になるように互いに離間して配置されている。また、整流壁３２Ｆは、その高さが隔壁３２Ｃの高さよりも低くなるように設けられている。上述した構成の鍵盤装置１００において空洞部３２Ａに充填された微粒子３２Ｂの動きは第１実施形態とほぼ同様であるため、ここでは詳細な説明を省略する。
【００４６】
上述した鍵盤装置１００によれば、第１実施形態と同様に、空洞部３２Ａを隔壁３２Ｃによって前後方向に隔てると共に隔壁３２Ｃの下端に供給孔３２Ｄを設けることにより、黒鍵１０及び白鍵１１における空洞部３２Ａ内での微粒子３２Ｂの分布を毎回同じにすることができ、良好なストップ感を安定して得ることができる。また、空洞部３２Ａの底面に段差３２Ａ−３及びテーパ３２Ａ−４、３２Ａ−８を設けると共に、上側に第１誘導壁３２Ａ−５を設けることにより、より確実に空洞部３２Ａ内での微粒子３２Ｂの分布を毎回同じにすることができ、良好なストップ感を安定して得ることができる。
【００４７】
また、上述した鍵盤装置１００によれば、第２微粒子蓄積領域３２Ａ−２内に、複数の整流壁３２Ｆを、隔壁３２Ｃと略平行なるように、並べて配置している。これにより、第２微粒子蓄積領域３２Ａ−２内での微粒子３２Ｂの流れを整流して、第２微粒子蓄積領域３２Ａ−２での微粒子３２Ｂの分布にばらつきが生じるのを防ぐことができる。
【００４８】
また、上述した鍵盤装置１００によれば、第２微粒子蓄積領域３２Ａ−２が、第１微粒子蓄積領域３２Ａ−１よりも質量体３０の回動支点（回転軸Ｃ２）から近い側に設けられている。第２微粒子蓄積領域３２Ａ−２に溜められた微粒子３２Ｂの分布は、第１微粒子蓄積領域３２Ａ−１の空間に溜められた微粒子３２Ｂの分布よりもばらつきが大きくなる。このため、微粒子３２Ｂ分布のばらつきが大きい第２微粒子蓄積領域３２Ａ−２を回動支点から近い側に設けて、第２微粒子蓄積領域３２Ａ−２内の微粒子３２Ｂによる慣性モーメント影響を受けにくくすることにより、より確実に、良好なストップ感を安定して得ることができる。
【００４９】
なお、上述した第１〜第３実施形態によれば、空洞部３２Ａの底部は段差３２Ａ−３及びテーパ３２Ａ−４の両方を設けていたが、本発明はこれに限ったものではない。例えば、図８（Ａ）に示すように、段差３２Ａ−３のみを設けてもよいし、図８（Ｂ）に示すように、テーパ３２Ａ−４のみを設けてもよい。また、空洞部３２Ａの底部を平らに設けてもよいが、上述したように段差３２Ａ−３及びテーパ３２Ａ−４を設けた方が最適である。
【００５０】
また、上述した第１〜第３実施形態によれば、第１及び第２誘導壁３２Ａ−５、３２Ａ−６を設けていたが、本発明はこれに限ったものではない。空洞部３２Ａの上面に、第１及び第２誘導壁３２Ａ−５、３２Ａ−６を設けずに、例えば空洞部３２Ａの上面を平面に設けてもよい。
【００５１】
また、上述した第１〜第３実施形態によれば、上限、下限ストッパ４１、４２は質量体３０と当接して黒鍵１０、白鍵１１及び質量体３０の回動範囲を規制していたが、本発明はこれに限ったものではない。上限、下限ストッパ４１、４２は、例えば、黒鍵１０及び白鍵１１と当接して黒鍵１０、白鍵１１及び質量体３０の回動範囲を規制してもよい。
【００５２】
また、上述した第１〜第３実施形態によれば、空洞部３２Ａは、質量体３０の後端部に設けられた錘部３２に設けていたが、本発明はこれに限ったものではない。空洞部３２Ａは、質量体３０の一部であればどこでもよい。
【００５３】
また、上述した第１〜第３実施形態によれば、隔壁３２Ｃは空洞部３２Ａを２つに隔てていたが本発明はこれに限ったものではない。例えば空洞部３２Ａを３つに隔てるように隔壁３２Ｃを２つ設けてもよいし、空洞部３２Ａを４つ以上に隔てるようにしてもよい。
【００５４】
また、上述した第１〜第３実施形態によれば、隔壁３２Ｃは空洞部３２Ａを前後方向に隔てていたが本発明はこれに限ったものではない。隔壁３２Ｃとしては空洞部３２Ａを２つ以上に隔てるように設ければよく、例えば空洞部３２Ａを左右方向、上下方向に隔てるように設けてもよい。
【００５５】
また、上述した第１〜第３実施形態によれば、空洞部３２Ａの底面に、テーパ３２Ａ−４や段差３２Ａ−３を設けていたが、本発明はこれに限ったものではない。テーパ３２Ａ−４や段差３２Ａ−３は空洞部３２Ａの下部に設けていればよく、例えば、空洞部３２Ａの底面より上側にテーパ３２Ａ−４や段差３２Ａ−３が設けられるようにしてもよい。
【００５６】
また、上述した第１〜第３実施形態によれば、空洞部３２Ａの上面に、第１誘導壁３２Ａ−５及び第２誘導壁３２Ａ−６が設けられていたが、本発明はこれに限ったものではない。第１誘導壁３２Ａ−５及び第２誘導壁３２Ａ−６は空洞部３２Ａの上部に設けていればよく、例えば、空洞部３２Ａの上面より下側に第１誘導壁３２Ａ−５及び第２誘導壁３２Ａ−６を設けるようにしてもよい。
【００５７】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５８】
【図１】第１実施形態における本発明の鍵盤装置を示す概略断面図である。
【図２】図１に示す錘部の拡大図である。
【図３】空洞部に充填された微粒子の動きを説明するための図である。
【図４】第２実施形態における本発明の鍵盤装置を示す概略断面図である。
【図５】図４に示す錘部の拡大図である。
【図６】第３実施形態における本発明の鍵盤装置を示す概略断面図である。
【図７】図６に示す錘部の拡大図である。
【図８】（Ａ）及び（Ｂ）は、他の実施形態における錘部の拡大図である。
【符号の説明】
【００５９】
１０…黒鍵（鍵）、１１…白鍵（鍵）、２０…フレーム、３０…質量体、３２Ａ…空洞部、３２Ｂ…微粒子、３２Ｃ…隔壁、３２Ｄ…供給孔、３２Ｅ…連通孔、３２Ａ−１…第１微粒子蓄積領域（他方の空間）、３２Ａ−２…第２微粒子蓄積領域（一方の空間）、３２Ａ−３…段差、３２Ａ−４…テーパ、３２Ａ−５…第１誘導壁（テーパ）４１…上限ストッパ（ストッパ）、４２…下限ストッパ（ストッパ）、１００…鍵盤装置
【図１】
0004946679.tif 000002
【図２】
0004946679.tif 000003
【図３】
0004946679.tif 000004
【図４】
0004946679.tif 000005
【図５】
0004946679.tif 000006
【図６】
0004946679.tif 000007
【図７】
0004946679.tif 000008
【図８】
0004946679.tif 000009